(57)【要約】      （修正有）【課題】取り扱いの際に誤開封されることのない詰替え用袋を提供する。【解決手段】可撓性の積層樹脂フィルムを貼り合わせて形成された袋本体に内容物を密封して収納するための詰替え用袋であって、袋本体から突出した、両側シール部と注出流路９とを有するノズル部１０の先端領域に注出口を開口するための切断予定線１１を備え、両側シール部の少なくとも一方側に、切断予定線と交叉する折り曲げ線１２を設け、更に、切断予定線と折り曲げ線とが交叉する部分に抜き穴１３を設けてなり、折り曲げ線が設けられた側の両側シール部を折り曲げ線において折り曲げることにより、抜き穴が切断開始部を形成する袋とする。【選択図】図２
2008074478.tif 000002
【特許請求の範囲】
【請求項１】
可撓性の積層樹脂フィルムを貼り合わせて形成した袋本体に内容物を密封して収納するための詰替え用袋であって、袋本体から突出した、両側シール部と注出流路とを有するノズル部の先端領域に注出口を開口するための切断予定線を備え、該両側シール部の少なくとも一方側に、該切断予定線と交叉する折り曲げ線を設け、更に、該切断予定線と該折り曲げ線とが交叉する部分に抜き穴を設けてなり、該折り曲げ線が設けられた側の両側シール部を該折り曲げ線において折り曲げることにより、該抜き穴が切断開始部を形成する詰替え用袋。
【請求項２】
前記切断予定線がハーフカット線によって形成されてなる請求項１に記載の詰替え用袋。
【請求項３】
前記切断開始部が、前記抜き穴における切断予定線と交差する部分を頂点とし、該頂点を交差する切断予定線の延設方向に向けたＶ字形状である請求項１又は２に記載の詰替え用袋。
【請求項４】
前記抜き穴が、四角形又は菱形であって、該四角形又は菱形の２組の対頂角の内の１組が前記切断予定線に接し、他の１組が前記折り曲げ線に接してなる請求項１又は２に記載の詰替え用袋。
【発明の詳細な説明】
【技術分野】
【０００１】
本発明は、可撓性の積層樹脂等からなるフィルムを貼り合わせて形成した袋本体に内容物を密封して収納するための詰替え用袋に関する。
【背景技術】
【０００２】
可撓性の積層樹脂フィルムを貼り合わせて形成された袋本体の上部端縁部の一部に注出流路を有するノズル部を設けた詰替え用袋は、液体、粒体、粉粒体などの流動性を有する内容物を密封して収納するための袋として採用され、内容物を他の容器に移し替えて使用する詰替え用の袋は、廃棄物減量の目的に合致するものとして、多く用いられる傾向にある。
【０００３】
この詰替え用袋においては、２枚のフィルムの両側シール部とその間に形成した注出流路とを有するノズル部を切断予定線で切断して注出口を形成する形式が採られており、通常は、切断を容易にする為に、切断予定線の端部にノッチ等の切断開始部が設けられているが、詰替え用袋に内容物を充填してから、家庭で使用を開始するまでの、輸送、保管等の各段階における取り扱い、例えば、店頭でノズル部等を掴んで取り出す際や、買い物袋から商品を取り出す際に、切断開始部が他の商品等に引っ掛かって力が加わり、誤開封される恐れがある。
【０００４】
このような誤開封を防止した袋として、特許文献１の如く、切断開始部近傍における開封予定線の向きが、切断開始部に加わる力の向きと異なるように形成するか、又は、特許文献２の如く、開封予定線が切断開始部と非連続に形成された袋体開封予定線が屈曲部で方向を変えて袋の外方に向けて横断する方向に延設された包装袋が提案されている。
【０００５】
しかしながら、特許文献１および特許文献２に記載の袋においても、切断開始部がシール部外縁にある以上、取り扱いの際に切断開始部に力が加わり誤開封される可能性は残されており、誤開封を防止する方策として十分とはいえない。
【０００６】
【特許文献１】特開２００３−２７６７４４号公報
【特許文献２】特開２００５−１４５５０２号公報
【発明の開示】
【発明が解決しようとする課題】
【０００７】
本発明は、上記背景技術の問題点に鑑み、取り扱いの際に誤開封されることのない詰替え用袋を提供することを目的とする。
【課題を解決するための手段】
【０００８】
本発明者らは、切断開始部を切断予定線の終端には設けず、該終端近傍においてシール部を折り曲げることにより、初めて切断開始部を形成できる詰替え用袋とすることにより、その課題を解決しうることを着想した。
即ち本発明は、
可撓性の積層樹脂フィルムを貼り合わせて形成された袋本体に内容物を密封して収納するための詰替え用袋であって、袋本体から突出した、両側シール部と注出流路とを有するノズル部の先端領域に注出口を開口するための切断予定線を備え、該両側シール部の少なくとも一方側に、該切断予定線と交叉する折り曲げ線を設け、更に、該切断予定線と該折り曲げ線とが交叉する部分に抜き穴を設けてなり、該折り曲げ線が設けられた側の両側シール部を該折り曲げ線において折り曲げることにより、該抜き穴が切断開始部を形成する詰替え用袋である。
【発明の効果】
【０００９】
本発明の詰替え用袋によれば、シール部を折り曲げ線において折り曲げるという行為を行って初めて切断開始部が形成されるので、家庭で使用を開始するまでの段階における取り扱いの際に切断開始部に不用意に力が掛かって、誤開封されることがない。
【発明を実施するための最良の形態】
【００１０】
以下、本発明の詰替え用袋を、図を参照して説明する。
図１は、内容物を収納した状態における本発明の詰替え用袋の１実施例を示す正面図である。
図１に示す如く、詰替え用袋１は、可撓性の積層樹脂からなる２枚の胴部フィルム２、３と、可撓性の積層樹脂からなる１枚の底部フィルム４とからなり、胴部フィルム２、３の下縁部と底部フィルム４の周縁部とを熱融着、超音波融着等により接合してボトムシール部５を形成するとともに、胴部フィルム２、３の両側縁部と上縁部とを互いに熱融着等により接合してサイドシール部６とトップシール部７を形成し、それらのシール部によって囲まれる内容物収容部８を形成したものである。尚、詰替え用袋１にあっては、上述のフィルム接合過程の最終段階前、例えば胴部フィルム２、３のトップシール部７の接合前段階で、内容物収容部８に内容物を充填する。
【００１１】
詰替え用袋１においては、上角部を、両側シール部、即ち、一方のサイドシール部６とトップシール部７とその間に形成した内容物注出部９とを有するノズル部１０としており、使用する際には、該ノズル部１０の内容物注出部９を跨いで両側シール部の間にわたる切断予定線１１で切断することにより注出口を形成する。
【００１２】
図２は、図１に示す詰替え用袋のノズル部を拡大して示す正面図であり、図３は、図２に示すノズルのシール部を折り曲げ線で折り曲げた状態を示す平面図である。
図２に示す如く、本発明の詰替え用袋１のノズル部１０においては、両側シール部の少なくとも一方側（図１及び図２の場合は、トップシール部７側）に切断予定線１１に交叉する折り曲げ線１２を設け、更に、切断予定線１１と折り曲げ線１２とが交叉する部分に抜き穴１３を設けている。
そして使用時には、図３に示す如く、折り曲げ線１２に沿って折り曲げて、点線で示した如き状態とすることにより、抜き穴１３が切断開始部１４となり、切断予定線１１で切断することで、注出口を形成することができる。
【００１３】
折り曲げ線１２で折り曲げた後に、切断予定線１１で切断する際には、折り曲げた部分（図３において点線で示した部分）も同時に切断されることが好ましいため、切断予定線１１は、抜き穴１３を越えて、更にシール部の端部にまで延長して設けることが好ましい。
但し、折り曲げ線１２で折り曲げた部分をノズルの切断前に除去することが可能であれば、切断予定線１１は、抜き穴１３の位置まで形成しておけばよい。
また、図４は、本発明の詰替え用袋の他の態様のノズル部を拡大して示す正面図であるが、図４に示す如く、抜き穴１３の形状を、折り曲げ線１２を境にして切断開始部１４とは反対の側が大きくなるように、好ましくは、折り曲げ線１２から抜き穴１３の切断開始部１４とは反対の側の縁までの距離を内容物注出部９の周縁のシール部の幅より長くなるように形成するのが好ましい。そのように形成することにより、折り曲げ線１２で折り曲げたときに、内容物注出部９の周縁のシール部と抜き穴の周縁のシール部とが重ならないか、又は重なりが少なくなり、先ず内容物注出部９の周縁のシール部を切断し、次いで抜き穴の周縁を切断する形となるので、大きな力を加えずとも容易に切断することができる。
【００１４】
抜き穴１３を設ける位置は、必ずしも、切断予定線１１と折り曲げ線１２とが交叉する点の真上である必要はないが、少なくとも、切断予定線１１と折り曲げ線１２との両方が接する位置であることが必要である。
但し、折り曲げ線１２は、折り曲げた部分（図３において点線で示した部分）を同時に切断したり、抜き穴１３を小さく形成する観点から、抜き穴１３の中心を通るように形成するのが好ましく、また、切断する際の力が切断予定線１１にかかりやすく、開封しやすいようにするためには、切断予定線１１に直交するように形成するのが好ましい。
抜き穴１３及び折り曲げ線１２とは、ノズル部１０を形成する両側シール部の少なくとも一方側に設けることが必要であり、図１〜３に示す如きトップシール部７側に設ける態様の他、サイドシール部６側に設ける態様や、トップシール部７側とサイドシール部６側との両方に設ける態様も採ることができる。
【００１５】
切断予定線１１を形成する方法については特に制限はなく、公知の方法の何れもが採用可能であるが、２枚のフィルムのいずれか一方の表面又は両方のフィルムの表面に、連続的又は断続的なハーフカット線をフィルムの表側層にレーザー等で形成するのが、生産性の点から好ましい。
折り曲げ線１２を形成する方法については特に制限はなく、公知の方法の何れもが採用可能であるが、貼り合せた２枚のフィルムのいずれか一方に谷折り加工を、例えばプレス加工により形成するのが好ましいが、いずれか一方のフィルムに谷折り加工を設け、更に他方のフィルムの対応箇所に山折り加工を形成するのが更に好ましい。また、２枚のフィルムのいずれか一方の表面又は両方のフィルムの表面に、連続的又は断続的なハーフカット線をレーザー等で形成することもできる。
【００１６】
抜き穴１３の形状は、直線、円、楕円、四角、ひし形、三角形などの形状をとることができるが、図１〜３に示す態様のように、切断開始部１４からの切断を容易にするためには、切断開始部１４として切断開始用の切り込みがあることが好ましい。切断開始用の切り込みは、抜き穴１３における切断予定線１１と交差する部分（又は／及び切断予定線１１の延長線上における部分）を頂点とし、該頂点を交差する切断予定線１１の延設方向に向けたＶ字形状に形成することが好ましい。例えば、抜き穴１３が四角形又は菱形、又は瞳形であって、該四角形又は菱形の２組の対頂角の内の１組、又は瞳形の一対の角部が切断予定線１１に接し、又は切断予定線１１の延長線上にあり、抜き穴１３が四角形又は菱形である場合は他の１組が折り曲げ線１２に接している形状が好ましい。
【００１７】
本発明の詰替え用袋の形状としては、特に制約はなく、三方シール形式、四方シール形式等のパウチが適当であるが、特にスタンディングパウチ形式の袋は、自立可能であるので、取り扱い易く、好ましい形式である。
【００１８】
詰替え用袋を形成するフィルムとしては、可撓性の単層樹脂フィルムを使用することも可能であり、積層樹脂フィルムが一般的に使用されるが、その素材としては、この種の目的に通常使用される素材のいずれもが使用可能であり、延伸ナイロンフィルム（ONy）、延伸ポリプロピレン（OPP）、無延伸ポリプロピレン（CPP）、直線状低密度ポリエチレン（LLDPE）、高密度ポリエチレン（HDPE）、低密度ポリエチレン（LDPE）、ポリエチレンテレフタレート (PET)、金属蒸着ポリエチレンテレフタレート (VM-PET)等を例示することができる。また、バリヤー性を持たせるために、アルミニウム等の金属フィルムを、上記の樹脂フィルムと共に使用してもよい。
【００１９】
積層樹脂フィルムの層構成も、この種の目的に通常使用される構成のいずれもが採用可能であるが、好ましい層構成としては、外層側より、ONy、PET等からなる基材層と、CPP、LLDPE、 LDPE等からなるシーラント層とを積層した構成及び、それらの基材層とシーラント層との間に、更にOPP、HDPE、VM-PET、金属フィルム等を積層した構成を例示することができる。
【００２０】
詰替え用袋１の一部に設けるノズル部１０の位置は、詰替え用袋１の上縁角部（図１〜３の態様）でも、上縁中央部であってもよい。また、ノズル部の形状も種々の形状を採用でき、その向きも、設ける位置により、上方向、斜め上方向、横方向のいずれかを選択し得る。
図１に示した形状、即ち、サイドシール部６の上部から内側に向かう傾斜部に連続し凹型円弧状に上方に延びるシール部と、トップシール部７より内側に窪む凹型屈曲部を介して斜め上方に延びるシール部とから形成されたノズルの形状は、詰め替えの際の取り扱い性に優れた、特に好ましい形状である。
【産業上の利用可能性】
【００２１】
本発明の詰替え用袋は、洗浄剤、界面活性剤、化粧品、食品等の、液体、粒体、粉粒体を収納するための袋として利用し、内容物の移し換えを行うために用いる。
【図面の簡単な説明】
【００２２】
【図１】内容物を収納した状態における本発明の詰替え用袋の１態様を示す正面図である。
【図２】図１に示す詰替え用袋のノズル部を拡大して示す正面図である。
【図３】図２に示すノズルのシール部を折り曲げ線で折り曲げた状態を示す平面図である。
【図４】本発明の詰替え用袋の他の態様のノズル部を拡大して示す正面図である。
【符号の説明】
【００２３】
１：詰替え用袋
２、３：胴部フィルム
４：底部フィルム
５：ボトムシール部
６：サイドシール部
７：トップシール部
８：内容物収容部
９：注出流路
１０：ノズル部
１１：切断予定線
１２：折り曲げ線
１３：抜き穴
１４：切断開始部
【図１】
2008074478.tif 000003
【図２】
2008074478.tif 000004
【図３】
2008074478.tif 000005
【図４】
2008074478.tif 000006